(57)【要約】  【課題】  同一放送時間帯に記録できる数より多い放送番組の録画予約が設定されることになる場合に警告を行って、録画予約が不可能であることを極めて容易に把握することができる録画装置を提供する。  【解決手段】  予約可否判定部１９は、操作部１３（予約録画選択キー１３ａ）にて録画予約する放送番組を受け付けることによって、記録処理部２１が同一放送時間帯の放送番組を記録部２２に記録できる数より多い放送番組の録画予約が設定されることになるか否かを判定する。予約可否判定部１９にて、記録処理部２１が同一放送時間帯に記録できる数より多い放送番組の録画予約が設定されることになると判定された場合、利用者に対して警告を行う。【選択図】        図１
2007081866.tif 000002
【特許請求の範囲】
【請求項１】
複数の放送番組をそれぞれ別々に受信するチューナ部と、チューナ部が受信した複数の放送番組を同時に記録できる記録処理部とを備える録画装置において、
放送番組の放送時間を含む番組情報を取得する番組情報取得手段と、
取得した番組情報に基づいて、放送番組を放送時間順に並べた番組表を作成する番組表作成手段と、
作成した番組表の表示出力処理を行う手段と、
録画予約する放送番組の選択を受け付ける受付手段と、
放送番組を受け付けることによって、同一放送時間帯に記録できる数より多い放送番組の録画予約が設定されることになるか否かを判定する判定手段と、
同一放送時間帯に記録できる数より多い放送番組の録画予約が設定されることになると判定された場合に警告を行う警告手段と
を備えることを特徴とする録画装置。
【請求項２】
前記番組情報取得手段は、番組情報を複数の番組情報提供元から取得可能にしてあり、
前記番組表作成手段は、取得した番組情報の番組情報提供元を識別する識別標が含まれる番組表を作成するようにしてあること
を特徴とする請求項１に記載の録画装置。
【請求項３】
前記受付手段は、前記番組表のうちの１つの放送番組を選択することによって録画予約を受け付け、
録画予約を受け付けた場合に、放送番組の放送時間、放送チャンネル及び放送内容が含まれる詳細情報に、番組情報提供元を識別する識別標が重畳された画像を作成する手段と、
作成した画像の表示出力処理を行う手段と
をさらに備えることを特徴とする請求項１又は請求項２に記載の録画装置。
【請求項４】
前記警告手段は、先に録画予約されている放送番組に係る番組表の作成を前記番組表作成手段に指示し、作成した番組表の表示出力処理を行って警告を行うようにしてあること
を特徴とする請求項１乃至請求項３のいずれか１つに記載の録画装置。
【請求項５】
前記警告手段は、録画予約が不可能な放送時間帯を識別できる番組表の作成を前記番組表作成手段に指示し、作成した番組表の表示出力処理を行って警告を行うようにしてあること
を特徴とする請求項１乃至請求項３のいずれか１つに記載の録画装置。
【請求項６】
前記番組表作成手段は、録画予約が不可能な放送時間帯が網掛けされた番組表を作成して該放送時間帯が識別されるようにしてあること
を特徴とする請求項５に記載の録画装置。
【請求項７】
前記番組表作成手段は、録画予約が不可能な放送時間帯が空欄の番組表を作成して該放送時間帯が識別されるようにしてあること
を特徴とする請求項５に記載の録画装置。
【請求項８】
前記警告手段は、録画予約が不可能な放送時間帯の放送番組の選択が受け付けられないように前記受付手段に指示するようにしてあること
を特徴とする請求項１乃至請求項７のいずれか１つに記載の録画装置。
【発明の詳細な説明】
【技術分野】
【０００１】
本発明は、放送番組をそれぞれ別々に受信する複数のチューナ部と、各チューナ部が受信した放送番組を同時に記録できる記録処理部とを備える録画装置に関する。
【背景技術】
【０００２】
日本国において、従来のアナログ放送（地上アナログ放送）に加えて、デジタル放送（地上デジタル、ＢＳ／ＣＳデジタル放送）が行われている。また、放送波に放送番組の放送時刻及び内容を含んだ番組情報を多重化して配信することにより、現在放送中の番組及び今後（およそ１週間分）の放送予定の番組を示す番組表（電子番組ガイド：Electronic Program Guide（ＥＰＧ））を画面上に表示して利用者に案内する技術が実用化されている。
【０００３】
また、上述したようなＥＰＧを活用することによって、深夜の番組や留守中の番組を簡単に録画予約することができる録画装置が実用化されている（例えば、特許文献１参照。）。ＥＰＧによる録画予約は、スポーツ延長等で予約番組の開始時刻又は終了時刻が変更された場合であっても、オンタイムで開始時刻又は終了時刻の情報を取得して、録画時刻を自動的に変更することができるので極めて有用である。
【特許文献１】特開２００４−２４１８５２号公報
【発明の開示】
【発明が解決しようとする課題】
【０００４】
ところで、複数の番組情報提供元が、それぞれ異なる番組情報を提供しているが、例えば、Ｇガイド系ＥＰＧ、ＳＩ系ＥＰＧのように、ＥＰＧには複数の仕様が存在しているにもかかわらず、複数の仕様のＥＰＧを同時にＯＳＤ表示することができる録画装置（例えばハードディスクレコーダ）は存在していなかった。これは、Ｇガイド系ＥＰＧと、ＳＩ系ＥＰＧとの同時表示を禁止する規約が存在しているためである。例えば、図８に示すように、Ｇガイド系ＥＰＧ３１０とＳＩ系ＥＰＧ３２０とを同一画面３００上に表示することは、その規約によって禁止されている。
【０００５】
したがって、各ＥＰＧを別々に表示しなければならないことから、同一放送時間帯に記録できる数より多い放送番組の録画予約が設定される虞があった。したがって、一方のＥＰＧですでに予約が行われていたとき、利用者が予約のことを忘れて、他方のＥＰＧで同一時間帯に予約を行ってしまい、いずれかの予約が不履行となるという問題があった。
【０００６】
本発明は斯かる事情に鑑みてなされたものであり、録画予約する放送番組の選択を受け付け、放送番組を受け付けることによって、同一放送時間帯に記録できる数より多い放送番組の録画予約が設定されることになるか否かを判定し、同一放送時間帯に記録できる数より多い放送番組の録画予約が設定されることになると判定された場合に警告を行う構成とすることにより、録画予約が不可能であることを極めて容易に把握することができる録画装置の提供を目的とする。
【０００７】
また本発明は、番組情報を複数の番組情報提供元から取得し、取得した番組情報の番組情報提供元を識別する識別標が含まれる番組表を作成する構成とすることにより、識別標から、番組情報がいずれの番組情報提供元であるかを容易に把握することができる録画装置の提供を目的とする。
【０００８】
また本発明は、番組表のうちの１つの放送番組を選択することによって録画予約を受け付け、録画予約を受け付けた場合に、放送番組の放送時間、放送チャンネル及び放送内容が含まれる詳細情報に、番組情報提供元を識別する識別標が重畳された画像を作成して表示出力処理を行う構成とすることにより、識別標から、番組情報の番組情報提供元を把握することができる録画装置の提供を目的とする。
【０００９】
また本発明は、先に録画予約されている放送番組に係る番組表を作成して表示出力処理を行う構成とすることにより、表示出力された番組表から、どの放送番組が先に録画予約されているために、新規に録画予約しようとした放送番組の予約ができなったかを把握することができる録画装置の提供を目的とする。
【００１０】
また本発明は、録画予約が不可能な放送時間帯を識別できる番組表を作成して表示出力処理を行う構成とすることにより、録画予約が不可能な放送時間帯が録画予約する前に、予約が可能か否かを把握することができる録画装置の提供を目的とする。
【００１１】
また本発明は、録画予約が不可能な放送時間帯が網掛けされた番組表を作成する構成とすることにより、録画予約が不可能な放送時間帯が一目で把握することができる録画装置の提供を目的とする。
【００１２】
また本発明は、録画予約が不可能な放送時間帯が空欄の番組表を作成する構成とすることにより、利用者はその放送時間帯の番組情報がわからないので録画予約を行うことを防ぐことができる録画装置の提供を目的とする。
【００１３】
また本発明は、録画予約が不可能な放送時間帯の放送番組の選択が受け付けられない構成とすることにより、不要な録画予約処理の実行を禁止することができる録画装置の提供を目的とする。
【課題を解決するための手段】
【００１４】
本発明に係る録画装置は、複数の放送番組をそれぞれ別々に受信するチューナ部と、チューナ部が受信した複数の放送番組を同時に記録できる記録処理部とを備える録画装置において、放送番組の放送時間を含む番組情報を取得する番組情報取得手段と、取得した番組情報に基づいて、放送番組を放送時間順に並べた番組表を作成する番組表作成手段と、作成した番組表の表示出力処理を行う手段と、録画予約する放送番組の選択を受け付ける受付手段と、放送番組を受け付けることによって、同一放送時間帯に記録できる数より多い放送番組の録画予約が設定されることになるか否かを判定する判定手段と、同一放送時間帯に記録できる数より多い放送番組の録画予約が設定されることになると判定された場合に警告を行う警告手段とを備えることを特徴とする。
【００１５】
本発明にあっては、放送番組の放送時間を含む番組情報を取得し、番組情報に基づいて、放送番組を放送時間順に並べた番組表を作成する。そして、作成した番組表の表示出力処理を行う。そして、録画予約する放送番組の選択を受け付け、放送番組を受け付けることによって、同一放送時間帯に記録できる数より多い放送番組の録画予約が設定されることになるか否かを判定する。そして、同一放送時間帯に記録できる数より多い放送番組の録画予約が設定されることになると判定された場合に警告を行う。これにより、利用者は、録画予約が不可能であることを把握することができる。
【００１６】
本発明に係る録画装置は、前記番組情報取得手段は、番組情報を複数の番組情報提供元から取得可能にしてあり、前記番組表作成手段は、取得した番組情報の番組情報提供元を識別する識別標が含まれる番組表を作成するようにしてあることを特徴とする。
【００１７】
本発明にあっては、番組情報を複数の番組情報提供元から取得し、取得した番組情報の番組情報提供元を識別する識別標が含まれる番組表を作成する。これにより、利用者は、識別標から、番組情報がいずれの番組情報提供元であるかを容易に把握することができる。
【００１８】
本発明に係る録画装置は、前記受付手段は、前記番組表のうちの１つの放送番組を選択することによって録画予約を受け付け、録画予約を受け付けた場合に、放送番組の放送時間、放送チャンネル及び放送内容が含まれる詳細情報に、番組情報提供元を識別する識別標が重畳された画像を作成する手段と、作成した画像の表示出力処理を行う手段とをさらに備えることを特徴とする。
【００１９】
本発明にあっては、番組表のうちの１つの放送番組を選択することによって録画予約を受け付ける。そして、録画予約を受け付けた場合に、放送番組の放送時間、放送チャンネル及び放送内容が含まれる詳細情報に、番組情報提供元を識別する識別標が重畳された画像を作成する。そして、作成した画像の表示出力処理を行う。これにより、利用者は、識別標から、番組情報の番組情報提供元を把握することができる。
【００２０】
本発明に係る録画装置は、前記警告手段は、先に録画予約されている放送番組に係る番組表の作成を前記番組表作成手段に指示し、作成した番組表の表示出力処理を行って警告を行うようにしてあることを特徴とする。
【００２１】
本発明にあっては、先に録画予約されている放送番組に係る番組表を作成し、作成した番組表の表示出力処理を行う。これにより、利用者は、表示出力された番組表から、どの放送番組が先に録画予約されているために、新規に録画予約しようとした放送番組の予約ができなったかを把握することができる。
【００２２】
本発明に係る録画装置は、前記警告手段は、録画予約が不可能な放送時間帯を識別できる番組表の作成を前記番組表作成手段に指示し、作成した番組表の表示出力処理を行って警告を行うようにしてあることを特徴とする。
【００２３】
本発明にあっては、録画予約が不可能な放送時間帯を識別できる番組表を作成し、作成した番組表の表示出力処理を行う。これにより、利用者は、録画予約が不可能な放送時間帯が録画予約する前に、予約が可能か否かを把握することができる。
【００２４】
本発明に係る録画装置は、前記番組表作成手段は、録画予約が不可能な放送時間帯が網掛けされた番組表を作成して該放送時間帯が識別されるようにしてあることを特徴とする。
【００２５】
本発明にあっては、録画予約が不可能な放送時間帯が網掛けされた番組表を作成する。これにより、録画予約が不可能な放送時間帯が一目瞭然である。
【００２６】
本発明に係る録画装置は、前記番組表作成手段は、録画予約が不可能な放送時間帯が空欄の番組表を作成して該放送時間帯が識別されるようにしてあることを特徴とする。
【００２７】
本発明にあっては、録画予約が不可能な放送時間帯が空欄の番組表を作成する。これにより、録画予約が不可能な放送時間帯が一目瞭然である。また、録画予約が不可能な放送時間帯の番組情報が表示されないことから、利用者には、その放送時間帯の番組情報がわからないので、録画予約を行うことはない。
【００２８】
本発明に係る録画装置は、前記警告手段は、録画予約が不可能な放送時間帯の放送番組の選択が受け付けられないように前記受付手段に指示するようにしてあることを特徴とする。
【００２９】
本発明にあっては、録画予約が不可能な放送時間帯の放送番組の選択が受け付けられないように指示する。これにより、録画予約処理の実行が行われることはない。この場合には、予約不可能である旨の通知を行うようにすることが好ましい。
【発明の効果】
【００３０】
本発明によれば、録画予約する放送番組の選択を受け付け、放送番組を受け付けることによって、同一放送時間帯に記録できる数より多い放送番組の録画予約が設定されることになるか否かを判定し、同一放送時間帯に記録できる数より多い放送番組の録画予約が設定されることになると判定された場合に警告を行う構成としたので、録画予約が不可能であることを極めて容易に把握することができる。
【００３１】
本発明によれば、番組情報を複数の番組情報提供元から取得し、取得した番組情報の番組情報提供元を識別する識別標が含まれる番組表を作成する構成としたので、識別標から、番組情報がいずれの番組情報提供元であるかを容易に把握することができる。
【００３２】
本発明によれば、番組表のうちの１つの放送番組を選択することによって録画予約を受け付け、録画予約を受け付けた場合に、放送番組の放送時間、放送チャンネル及び放送内容が含まれる詳細情報に、番組情報提供元を識別する識別標が重畳された画像を作成して表示出力処理を行う構成としたので、識別標から、番組情報の番組情報提供元を把握することができる。
【００３３】
本発明によれば、先に録画予約されている放送番組に係る番組表を作成して表示出力処理を行う構成としたので、表示出力された番組表から、どの放送番組が先に録画予約されているために、新規に録画予約しようとした放送番組の予約ができなったかを把握することができる。
【００３４】
本発明によれば、録画予約が不可能な放送時間帯を識別できる番組表を作成して表示出力処理を行う構成としたので、録画予約が不可能な放送時間帯が録画予約する前に、予約が可能か否かを把握することができる。
【００３５】
本発明によれば、録画予約が不可能な放送時間帯が網掛けされた番組表を作成する構成としたので、録画予約が不可能な放送時間帯が一目で把握することができる。
【００３６】
本発明によれば、録画予約が不可能な放送時間帯が空欄の番組表を作成する構成としたので、利用者はその放送時間帯の番組情報がわからないので録画予約を行うことを防ぐことができる。
【００３７】
本発明によれば、録画予約が不可能な放送時間帯の放送番組の選択が受け付けられない構成としたので、不要な録画予約処理の実行を禁止することができる等、優れた効果を奏する。
【発明を実施するための最良の形態】
【００３８】
以下、本発明をその実施の形態を示す図面に基づいて詳述する。
【００３９】
図１は本発明に係る録画装置としてのハードディスクレコーダの構成を示すブロック図である。以下、説明を簡略化するため、地上アナログ放送と地上デジタル放送とが受信されるような場合について説明するが、放送番組の放送形態について限定されるものではない。
本発明に係る録画装置としてのハードディスクレコーダ１は、ＣＰＵで構成された制御部１０を備えている。制御部１０は、地上アナログ放送用チューナ部１１，地上デジタル放送用チューナ部１２，操作部１３，表示部１４，出力部１５，地上アナログ放送番組情報取得部１６，地上デジタル放送番組情報取得部１７，信号処理部（コーデック部）１８，予約可否判定部１９，予約管理部２０，記録処理部２１などと接続され、これら各部を制御して、内蔵するＲＯＭに格納された制御プログラムに従って種々の機能を実行する。
【００４０】
地上アナログ放送用チューナ部１１は放送中継基地の方向に向けて配置されたアンテナ５１（ここではＶＨＦアンテナ）に、地上デジタル放送用チューナ部１２はアンテナ５２（ここではＵＨＦアンテナ）に、それぞれ接続されており、それぞれから送信された映像信号（音声信号を含む）のうちの特定周波数帯域の映像信号を選択して復調する機能を有する。また、地上アナログ放送用チューナ部１１は、同時に２つの周波数帯域の映像信号を復調できるダブルチューナである。アンテナ５１とアンテナ５２とが共用されているような場合があることは言うまでもない。映像信号には、放送番組の放送時刻及び内容を含んだ番組情報が多重化されている。番組情報には、現在放送中の番組のみならず、今後の放送予定の番組に関する番組情報が含まれる。
【００４１】
地上アナログ放送番組情報取得部１６は、地上アナログ放送用チューナ部１１にて復調された映像信号から、映像信号に多重化されている地上アナログ放送番組情報を取得する。同様に、地上デジタル放送番組情報取得部１７は、地上デジタル放送用チューナ部１２にて復調された映像信号から、映像信号に多重化されている地上デジタル放送番組情報を取得する。
【００４２】
コーデック部１８は、映像信号を所定形式（例えばＭＰＥＧ形式）の映像データに符号化するエンコーダと、ＭＰＥＧ形式の映像データを読出して映像信号に復号化するデコーダとを備えており、エンコードされた映像データは記録処理部２１によって記録部２２に適宜記録され、記録部２２から読み出された映像データは、映像信号に復号化され、出力部１５から出力される。記録部２２は、ハードディスク装置のような磁気記録装置であって、ランダムアクセス性を有し、複数の映像データを並行して記録することができる。なお、記録部２２は、大容量の記録装置であることが好ましいが、磁気記録、光記録及び光磁気記録など、その記録形態について限定されるものではない。
【００４３】
出力部１５には、液晶ディスプレイ又はＣＲＴディスプレイなどの表示機器６０が接続されており、復号化された映像信号を表示機器６０に出力して、映像信号に係る映像が表示される。もちろん、出力部１５は、上述したような信号処理を行うことなく、地上アナログ放送用チューナ部１１又は地上デジタル放送用チューナ部１２からの映像信号を表示機器６０へ出力し、映像信号に係る映像を表示機器６０に表示することもできる。
【００４４】
予約管理部２０は、予約管理データベース２００を有しており、予約管理データベース２００には、Ｇガイド系ＥＰＧによって利用者から受け付けた予約に係るデータベース（Ｇガイド系予約データベース）２００ａと、ＳＩ系ＥＰＧによって利用者から受け付けた予約に係るデータベース（ＳＩ系予約データベース）２００ｂとが登録されている。
【００４５】
Ｇガイド系予約データベース２００ａ及びＳＩ系予約データベース２００ｂは、図２に示すように、それぞれ、予約を識別するための予約番号２０１ａ，２０１ｂ、映像データを記録する番組のチャンネル２０２ａ，２０２ｂ、映像データの記録開始の日時を示す開始日時２０３ａ，２０３ｂ、映像データの記録終了の日時を示す終了日時２０４ａ，２０４ｂが互いに関連付けられて登録されている（図２（ａ）：Ｇガイド系予約データベース、図２（ｂ）：ＳＩ系予約データベース）。なお、本例では、Ｇガイド系予約データベース２００ａとＳＩ系予約データベース２００ｂとが別々に管理されている場合について説明したが、図３に示すように、１つの予約管理データベース２００で管理するようにしてもよい。１つの予約管理データベース２００で管理する場合は、録画予約が、いずれのＥＰＧにて受け付けたものかを識別するためのＥＰＧ情報２０５を予約管理データベース２００の要素に追加しておく。
【００４６】
操作部１３は、ハードディスクレコーダ１を操作するための各種のファンクションキーを備えている。ファンクションキーは、録画予約する放送番組の選択を受け付ける予約録画選択キー１３ａなどである。
【００４７】
予約可否判定部１９は、操作部１３（予約録画選択キー１３ａ）にて録画予約する放送番組を受け付けることによって、記録処理部２１が同一放送時間帯の放送番組を記録部２２に記録できる数より多い放送番組の録画予約が設定されることになるか否かを判定する。予約可否判定部１９にて、記録処理部２１が同一放送時間帯に記録できる数より多い放送番組の録画予約が設定されることになると判定された場合、利用者に対して警告を行う（詳細は後述する）。
【００４８】
表示部１４は、液晶モニタ又はＬＥＤモニタなどの表示デバイスで構成されており、ハードディスクレコーダ１の動作状態の表示、利用者へ操作入力を促す画面の表示などを行う。なお、本例では、オン・スクリーン・ディスプレイ（ＯＳＤ）を表示機器６０に表示することとする。また、表示部１４をタッチパネル方式とすることにより、操作部１３の各種のファンクションキーのうちの一部又は全部を代用することも可能である。
【００４９】
次に、本発明に係るハードディスクレコーダ１が行う動作をフローチャートに基づいて説明する。
図４は本発明に係るハードディスクレコーダが行うＥＰＧによる予約設定における処理手順を示すフローチャートである。なお、処理手順は一例であってこれに限るものではない。また、このような処理手順は、制御部１０に内蔵したＲＯＭへ予め制御プログラムを組み込んでおくことにより行うことができる。
【００５０】
先ず、制御部１０は、予約録画選択キー１３ａが押下される（ステップＳ１）と、録画予約されようとした番組の開始時間、終了時間及びチャンネルを番組情報から抽出する（ステップＳ２）。そして、予約管理部２０は、抽出した開始時間から終了時間までの時間帯で、予約管理データベース２００に登録されている他の録画予約が存在するか否かを判定する（ステップＳ３）。
【００５１】
そして、予約管理データベース２００に登録されている他の録画予約が存在する場合（Ｓ３：ＹＥＳ）、その録画予約のチャンネルを予約管理データベース２００から抽出する（ステップＳ４）。そして、Ｓ２にて抽出したチャンネル及びＳ４にて抽出したチャンネルの２つの番組を同時に録画することが可能であるか否かを予約可否判定部にて判定する（ステップＳ５）。
【００５２】
具体的には、本例では、地上アナログ放送用チューナ部１１がダブルチューナであり、同時に２つの周波数帯域の映像信号を復調できるため、両チャンネルが地上アナログ放送のチャンネルであっても、記録処理部２３にて記録処理を行うことができる。したがって、このような場合には、予約可否判定部は、録画予約が可能であると判定する。一方、地上デジタル放送用チューナ部１２は同時に２つの周波数帯域の映像信号を復調できないため、両チャンネルが地上デジタル放送のチャンネルである場合には、予約可否判定部は、録画予約が不可能であると判定する。また、一方のチャンネルが地上アナログ放送のチャンネルであり、他方のチャンネルが地上デジタル放送のチャンネルである場合には、それぞれのチューナ部で目的の映像信号を復調できるため、予約可否判定部は録画予約が可能であると判定する。
【００５３】
そして、同時に録画することが可能であると判定された場合（Ｓ５：ＹＥＳ）、番組の開始時間、終了時間及びチャンネルを予約管理データベース２００に登録する（ステップＳ６）。そして、予約管理データベース２００への登録が完了した後に、予約を受け付けた旨を表示機器６０に出力して利用者に通知する（ステップＳ７）。例えば、図５に示すように、予約番号７１、番組のタイトル７２、放送時間７３、チャンネル７４及び放送内容７５が含まれる詳細情報に、番組情報提供元を識別するロゴマークのような識別標７６が重畳された画像を作成し、作成した画像の表示出力処理を行って表示機器６０に出力する。
【００５４】
一方、同時に録画することが不可能であると判定された場合（Ｓ５：ＮＯ）、録画予約が不可能の旨を、表示機器６０に出力して利用者に警告を行う（ステップＳ８）。
【００５５】
また、予約管理データベース２００に登録されている他の録画予約が存在しない場合（Ｓ３：ＮＯ）、録画予約を受け付けた番組の録画が可能であることから、Ｓ６へ移行して、予約管理データベース２００への登録を行う。
【００５６】
次に、ＯＳＤ機能を利用した録画予約について説明する。図６は本発明の録画予約の一例を説明するための説明図であり、利用者が放送番組を録画予約しようとして、その放送番組の録画予約を受け付けることによって、記録処理部が同一放送時間帯に記録できる数より多い放送番組の録画予約が設定されることになる場合に、如何にして利用者にその旨を警告するかを示すものである。
【００５７】
図６（ａ）は、利用者がＯＳＤ機能を用いて録画予約しようとしている状態を示しており、Ｇガイド系ＥＰＧ３１が表示機器６０に表示されている。Ｇガイド系ＥＰＧ３１に該ＥＰＧの番組情報提供元を識別するタグ３１ａが付帯させられており、利用者は容易にＥＰＧの番組情報提供元を認識することができる。そして、利用者は、表示されているＧガイド系ＥＰＧ３１を見ながら、操作部１３を操作して目的の番組欄４１を選択する。
【００５８】
そして、選択した番組によって、記録処理部が同一放送時間帯に記録できる数より多い放送番組の録画予約が設定されることになる場合、図６（ｂ）に示すように、先に録画予約されている放送番組に係るＥＰＧの作成を指示し、作成したＥＰＧの表示出力処理を行って表示機器６０に出力する。つまり、録画予約済みの放送番組に係るＥＰＧ（ここではＳＩ系ＥＰＧ３２）を作成して表示機器６０に表示する。ＳＩ系ＥＰＧ３２にも、該ＥＰＧの番組情報提供元を識別するタグ３２ａが付帯させられており、利用者は容易にＥＰＧの番組情報提供元を認識することができる。
【００５９】
本例では２つの番組情報提供元に基づく２つのＥＰＧが存在し、かつそれぞれのＥＰＧに付帯させられたタグによって、表示されているＥＰＧが、Ｇガイド系ＥＰＧ３１又はＳＩ系ＥＰＧ３２のいずれであるかを容易に識別することができる。なお、タグの代わりに番組情報提供元を識別するロゴマークを付帯させるようにしてもよく、各ＥＰＧの番組情報提供元を識別できるものであれば、これらに限定されるものではない。
【００６０】
このように、表示機器６０の画面が、録画予約を行おうとしていたＧガイド系ＥＰＧ３１からＳＩ系ＥＰＧ３２に変更されることから、何故、録画予約が行われなかったのかを認識することができる。また、変更されたＳＩ系ＥＰＧ３２を、録画予約済みの放送番組の番組欄４２の属性（例えば色、パターンなど）を他と相違させることによって、利用者は、重複した放送番組が何であったかを把握することもできる。
【００６１】
したがって、録画予約しようとした番組の方が、先に録画予約されている放送番組よりも大切であると判断した場合には、先に録画予約されている放送番組の予約を取り消すことによって、録画予約しようとした番組を優先して予約することが可能になる。なお、この場合、ＥＰＧの出力は録画予約が不可能である旨の警告を主としており、所定時間（例えば５秒）経過後に出力を終了するようにしておく。
【００６２】
なお、実施の形態では、先に録画予約されている放送番組に係るＥＰＧの作成を指示し、作成したＥＰＧの表示出力処理を行って警告を行うようにしたが、録画予約が不可能な放送時間帯を識別できるＥＰＧの作成を指示し、作成したＥＰＧの表示出力処理を行って警告を行うようにしてもよい。例えば、図７（ａ）に示すように、録画予約が不可能な放送時間帯８０が網掛けされたＥＰＧ３３を作成し、その放送時間帯を利用者が容易に識別できるようにする。このようにすれば、利用者が録画予約を行おうとする前に、録画予約が不可能な放送時間帯の存在を利用者に知らせることができて有用である。
【００６３】
また、図７（ｂ）に示すように、録画予約が不可能な放送時間帯８０が空欄のＥＰＧ３４を作成するようにして、その放送時間帯を利用者が容易に識別できるようにする。このようにすれば、利用者が録画予約を行おうとする前に、録画予約が不可能な放送時間帯の存在を利用者に知らせることができて有用である。また、録画予約が不可能な放送時間帯の番組情報が表示されないことから、利用者には、その放送時間帯の番組情報がわからないので、録画予約を行うことはない。
【００６４】
さらに、録画予約が不可能な放送時間帯の放送番組の選択が受け付けられないように指示するようにしてもよい。この場合には、たとえ、利用者によって予約録画選択キー１３ａが押下されたとしても、録画装置側で録画予約処理の実行が行われることはない。もちろん、この場合には、予約不可能である旨の通知を行うようにすることが好ましい。
【００６５】
さらにまた、予約管理データベース２００に基づいて、複数のＥＰＧ（Ｇガイド系ＥＰＧ及びＳＩ系ＥＰＧ）によって受け付けた録画予約が混在している予約リスト画像を作成し、作成した予約リスト画像の表示出力処理を行って表示機器６０に出力するようにしてもよい。この場合には、予約リストのうちの１つの予約を選択することによって、図５で示したような、予約番号７１、番組のタイトル７２、放送時間７３、チャンネル７４及び放送内容７５が含まれる詳細情報に、番組情報提供元を識別するロゴマークのような識別標７６が重畳された画像を作成し、作成した画像の表示出力処理を行って表示機器６０に出力する。
【００６６】
以上、複数の番組情報提供元から番組情報を取得する場合について説明したが、１つの番組情報提供元から番組情報を取得する場合であっても本発明を適用することができる。
【図面の簡単な説明】
【００６７】
【図１】本発明に係る録画装置としてのハードディスクレコーダの構成を示すブロック図である。
【図２】予約データベースの一例を示す概念図である。
【図３】予約データベースの他の一例を示す概念図である。
【図４】本発明に係るハードディスクレコーダが行うＥＰＧによる予約設定における処理手順を示すフローチャートである。
【図５】放送番組の詳細情報が表示された状態を示す図である。
【図６】本発明の録画予約の一例を説明するための説明図である。
【図７】本発明のＥＰＧ表示の他の一例を説明するための説明図である。
【図８】ＥＰＧの表示に関する禁止事項を説明するための説明図である。
【符号の説明】
【００６８】
１  ハードディスクレコーダ
１０  制御部
１１  地上アナログ放送用チューナ部
１２  地上デジタル放送用チューナ部
１３  操作部
１４  表示部
１５  出力部
１６  地上アナログ放送番組情報取得部
１７  地上デジタル放送番組情報取得部
１８  信号処理部（コーデック部）
１９  予約可否判定部
２０  予約管理部
２１  記録処理部
５１，５２  アンテナ
６０  表示機器
【図１】
2007081866.tif 000003
【図２】
2007081866.tif 000004
【図３】
2007081866.tif 000005
【図４】
2007081866.tif 000006
【図５】
2007081866.tif 000007
【図６】
2007081866.tif 000008
【図７】
2007081866.tif 000009
【図８】
2007081866.tif 000010